(57)【要約】【課題】切断作業の際の樹皮の剥離を防止でき、容易かつ迅速に効率よく切断作業が行える鋸を提供する。【解決手段】主刃１と、その主刃１に対向状に配設される副刃２と、その副刃２を主刃１に向かって挟むように常時弾発付勢するバネ５と、を備えている。【選択図】図１
2011087506.tif 000002
【特許請求の範囲】
【請求項１】
主刃（１）と、該主刃（１）に対向状に配設される副刃（２）と、該副刃（２）を上記主刃（１）に向かって挟むように常時弾発付勢するバネ（５）と、を備えていることを特徴とする鋸。
【請求項２】
上記主刃（１）の歯並び（Ｆ１）及び上記副刃（２）の歯並び（Ｆ２）を側面視で円弧凹状に形成して、上記主刃（１）と上記副刃（２）の間で左右側方に開口する笹の葉状の開口部（６）を形成した請求項１記載の鋸。
【請求項３】
上記副刃（２）の先端（20）を、上記主刃（１）の先端（10）より長く突設させて受け顎型とした請求項１又は２記載の鋸。
【請求項４】
上記主刃（１）と、上記副刃（２）と、を左右側方に位置をずらせて配設し、側面視で上記主刃（１）と上記副刃（２）が先端側で重なり合うように配設した請求項１，２又は３記載の鋸。
【請求項５】
上記副刃（２）は、上記主刃（１）の基端（11）近傍に取着された板状の取付片（３）に枢着されている請求項１，２，３又は４記載の鋸。
【請求項６】
上記主刃（１）が固着されると共に上記副刃（２）が枢着される樹脂製の取付部材（７）を設けた請求項１，２，３又は４記載の鋸。
【発明の詳細な説明】
【技術分野】
【０００１】
本発明は、鋸に関する。
【背景技術】
【０００２】
従来、枝を切断する際に用いられる鋸としては、１枚の板状部材に、鋸歯を直線状に並べて形成したものがある（特許文献１参照）。
従来の鋸で枝を切断すると、切り離される側の枝が切断途中で自重により倒れたり垂れ下がったりして、残す側の枝の樹皮を引き剥がす虞があった。そのため、鋸で本切断する側の反対側に切込みを入れて、切り離される側と残す側の間の樹皮を予め切断する作業を行っていた。
【先行技術文献】
【特許文献】
【０００３】
【特許文献１】実公昭６２−９７９２号公報
【発明の概要】
【発明が解決しようとする課題】
【０００４】
しかし、樹皮の剥離を防止するために、本切断とは別に枝へ切込みを入れるのは、手間がかかるという問題があった。また、予め入れた剥離防止用の切込みの略反対側に、鋸を位置決めして、本切断を開始しなければならないため、その切込みの位置確認や、鋸の位置決めに、時間がかかり迅速に切断作業ができないという問題があった。
【０００５】
そこで、本発明は、切断作業の際の樹皮の剥離を防止でき、容易かつ迅速に効率よく切断作業が行える鋸の提供を目的とする。
【課題を解決するための手段】
【０００６】
上記目的を達成するために、本発明の鋸は、主刃と、該主刃に対向状に配設される副刃と、該副刃を上記主刃に向かって挟むように常時弾発付勢するバネと、を備えているものである。
また、上記主刃の歯並び及び上記副刃の歯並びを側面視で円弧凹状に形成して、上記主刃と上記副刃の間で左右側方に開口する笹の葉状の開口部を形成したものである。
また、上記副刃の先端を、上記主刃の先端より長く突設させて受け顎型としたものである。
また、上記主刃と、上記副刃と、を左右側方に位置をずらせて配設し、側面視で上記主刃と上記副刃が先端側で重なり合うように配設したものである。
【０００７】
また、上記副刃は、上記主刃の基端近傍に取着された板状の取付片に枢着されているものである。
または、上記主刃が固着されると共に上記副刃が枢着される樹脂製の取付部材を設けたものである。
【発明の効果】
【０００８】
本発明の鋸によれば、枝に樹皮剥離防止用の切込みを入れつつ、枝の本切断を行うことができ、切断作業を迅速に効率良く行うことができる。枝等の被切断部材を挟むように両側から切断でき、切断時間を短縮できる。切断作業中に主刃や副刃が切断中の切込部から不用意に離脱するのを防止でき容易に切断できる。切断する際に主刃や副刃が被切断部材に対して斜めに切込んでいくのを防止でき、容易に切断作業を行うことができる。
【図面の簡単な説明】
【０００９】
【図１】本発明の実施の一形態の側面図である。
【図２】作用説明図である。
【図３】作用説明図である。
【図４】要部正面図である。
【図５】取付片の一例を示す側面図である。
【図６】作用説明図である。
【図７】他の実施の形態の使用状態説明図である。
【発明を実施するための形態】
【００１０】
以下、図示の実施の形態に基づき本発明を詳説する。
本発明の鋸は、図１乃至図４に示す実施の一形態のように、樹木の枝や竹等の被切断部材Ｅを切断する主刃１及び副刃２を備えている。
主刃１は、被切断部材Ｅを切断可能な鋸歯13を多数有している。側面視で、主刃１（の鋸歯13）の歯並びＦ１を、円弧凹状に形成している。主刃１の基端11は、使用者が握る持ち手部材４に着脱自在に固着されている。
【００１１】
主刃１の基端11の近傍かつ持ち手部材４の近傍に、図５に示すような板状金属製の取付片３を固着している。
取付片３は、一側面３ａ側（図４参照）が主刃１に面接触してボルト・ナット部材によって固着され、他側面３ｂ側（図４参照）に副刃２が枢着されている。つまり、主刃１と副刃２は取付片３を介して左右側方に位置をずらせて配設されている。また、主刃１に取付片３を螺着することで主刃１から取付片３及び副刃２を着脱自在に設けている。
【００１２】
副刃２は、被切断部材Ｅを切断可能な鋸歯23を多数有している。側面視で、副刃２（の鋸歯23）の歯並びＦ２を、円弧凹状に形成している。副刃２は、主刃１に対向状に配設されている。つまり、側面視で、副刃２の鋸歯23が、主刃１の鋸歯13と向かい合うように配設している。また、図１に示す自然状態（切断作業待機状態）で、副刃２の先端20は、主刃１の先端10より長く突設させて受け顎型に形成している。言い換えると、副刃２の先端20は、主刃１より先端方向に突出する受け顎部22を有している。
【００１３】
また、自然状態に於て、鋸の先端側で、主刃１と副刃２が、側面視で重なり合っている。また、主刃１の鋸歯13と副刃２の鋸歯23の間で、左右側方に開口する笹の葉状の開口部６を形成している。なお、笹の葉状とは、互いに離れた位置に中心を有する円と円が重なった部分の形状とも言える。
【００１４】
そして、副刃２を主刃１に向かって挟むように常時弾発付勢するバネ５を備えている。バネ５は、一端５ａが取付片３に取着され、他端５ｂが副刃２に取着されている。
具体的には、バネ５は、ねじりコイルバネから成り、取付片３に副刃２を枢着する枢着軸部材９に巻設状に設けられている。バネ５の一端５ａは、折曲げ形成されると共に、取付片３に形成された差込孔51に差し込まれ係止されている。また、バネ５の他端５ｂは、折曲げ形成されると共に、副刃２に形成された係止孔52に差し込まれ係止されている。
【００１５】
また、線径や素材の異なる複数種類のバネ（一揃えの弾発力の異なるバネ）を備えている。バネ５は、枢着軸部材９を着脱することで交換自在であり、弾発力の異なる複数種類のバネから択一的に取り付けられる。つまり、副刃２を被切断部材Ｅに押し付ける力（主刃１と副刃２の挟持力）を調整自在に設けている。
【００１６】
また、主刃１に向かって挟むような枢着軸心Ｌ廻りの副刃２の揺動を規制するストッパ部31を設けている。ストッパ部31は、取付片３に突設され、副刃２の基端21の近傍に配設されている。副刃２の基端21に形成された当り面21ａに、当接することで、先端で主刃１と副刃２が側面視で重なり合う位置、かつ、主刃１と副刃２が側面視Ｘ字状に交差しない位置で副刃２の揺動を規制するように配設されている。
【００１７】
つまり、図１に示す自然状態では、バネ５によって開口部６が開く方向の副刃２の揺動が阻止されると共に、ストッパ部31によって側面視で副刃２と主刃１がすれ違ってＸ字状に交差するような揺動が阻止されている。
【００１８】
また、図６に示すように、被切断部材Ｅの断面の内、副刃２で切断する副切断範囲Ｓ２が全体の５〜３０％となるように、バネ５の弾発力（副刃２を被切断部材Ｅに押し付ける押圧力）を設定するのが好ましい。言い換えると、主刃１で切断する主切断範囲Ｓ１が全体の７０〜９５％となるように、バネ５の弾性力を設定するのが好ましい。
副切断範囲Ｓ２が全体の３０％以下となるようにバネ５の弾発力を設定することで、使用者が副刃２の切断抵抗を不快に感じることなく、スムーズかつ快適に主刃１を押し引き操作させることができる。また、副切断範囲Ｓ２が全体の５％以上となるようにバネ５の弾発力を設定することで、迅速に切断作業を行うことができると共に、樹皮を確実に切断できる。
【００１９】
上述した本発明の鋸の使用方法（作用）について説明する。
先ず、被切断部材Ｅにおいて、主刃１で切断を開始したい側を一方面Ｅａ側と呼ぶとすると、図１に示すように、被切断部材Ｅの他方面Ｅｂ側に、副刃２の先端20（受け顎部22）を当接させる。そして、図２に示すように、持ち手部材４を、一方側に移動、又は、枢着軸心Ｌ廻りに揺動させると、重なり合っていた主刃１の先端10と副刃２の先端20が離間して開口する。
【００２０】
副刃２に被切断部材Ｅを沿わせつつ、主刃１及び副刃２の基端11，21を被切断部材Ｅに接近させると、図３に示すように、被切断部材Ｅは、主刃１の鋸歯13と副刃２の鋸歯23の間にスムーズに配設される。バネ５によって、副刃２が他方面Ｅｂ側に押し付けられ、主刃１と供働きして被切断部材Ｅを挟持する。
【００２１】
使用者が持ち手部材４を押し引き操作すると、主刃１が被切断部材Ｅの一方面Ｅａ側で本切断を開始する。この際、副刃２は、バネ５によって被切断部材Ｅに押圧されるので、主刃１の押し引き運動に伴って、他方面Ｅｂ側を切断していく。つまり、被切断部材Ｅを両側（一方面Ｅａ側及び他方面Ｅｂ側）から切断する。
【００２２】
ここで、従来の鋸の場合は、切断する際に、切り離される側の被切断部材Ｅが、自重によって倒れたり垂れ下がって、残すべき側の被切断部材Ｅの樹皮を引き剥がすような樹皮の剥離が発生する虞があるため、他方面Ｅｂ側に、予め切込みを入れて樹皮を切断し、その後、本切断を一方面Ｅａ側から行う必要がある。
【００２３】
ところが、本発明の鋸は、被切断部材Ｅを両側から切断するため、主刃１による一方面Ｅａ側の本切断の開始と略同時に、副刃２によって他方面Ｅｂ側に樹皮剥離防止用の切込みが行われる。また、樹皮剥離防止用の切込みの略反対側に、主刃１が確実に配設されるため、位置合わせ等の手間や時間が省略される。
【００２４】
また、バネ５によって、副刃２を他方面Ｅｂ側に押し付け、被切断部材Ｅを主刃１と副刃２で挟持状に切断するため、主刃１や副刃２が切断途中の切込部から不用意に離脱するのを防止する。また、主刃１又は副刃２が、被切断部材Ｅに対して寝て（倒れて）斜めに切り込んでいくのが防止され、容易かつ迅速に効率良く被切断部材Ｅを切断する。また、主刃１から取付片３を取り外せば、副刃２やバネ５が一体状に取り外され主刃１のみの鋸としても使用可能となる。
【００２５】
次に、図７に示す他の実施の形態を説明する。
主刃１が固着されると共に副刃２が枢着される樹脂製の取付部材７を備えている。取付部材７は、ストッパ部31を有すると共にバネ５の一端５ａが取着されている。また、バネ５の他端５ｂは副刃２に取着されている。つまり、被切断部材Ｅの切断作業に於て、実施の一形態と同様の上述の作用が得られるものである。なお、主刃１及び副刃２の基端11，21側は取付部材７の内部空間に配設される。また、バネ５を取付部材７に内装させても良い。
【００２６】
取付部材７には、高所の被切断部材Ｅを切断するための操作杆８が連結されている。操作杆８は伸縮自在に設けられている。なお、複数の操作杆８を連結可能とし、長さを調節自在に設けるも自由である。操作杆８を設けることで、高い樹木の枝の切断作業に最適である。
【００２７】
なお、本発明は設計変更可能であって、歯並びＦ１，Ｆ２を直線状に形成しても良い。また、バネ５の弾発力の強弱を調節可能な機構や部材を設けても良い。バネ５を引張コイルバネ又は圧縮コイルバネとしても良い。主刃１に取付片３を溶接しても良い。また、取付片３は、主刃１の基端11近傍であればよく、取付片３を樹脂製とし、持ち手部材４に固着しても良い。また、受け顎部22は、鋸歯23を形成してもしなくても自由である。また、実施の一形態の持ち手部材４を、他の実施形態の操作杆８と連結可能に設けても良い。
【００２８】
以上のように、本発明の鋸は、主刃１と、主刃１に対向状に配設される副刃２と、副刃２を主刃１に向かって挟むように常時弾発付勢するバネ５と、を備えているので、被切断部材Ｅを両側（一方面Ｅａ側及び他方面Ｅｂ側）から挟持状に切断して、切断時間を短縮できる。切断作業中に、主刃１や副刃２が切断途中の切込部から離脱するのを防止できる。また、主刃１又は副刃２が、寝て（倒れて）被切断部材Ｅに斜めに切り込んでいくのを防止できる。また、被切断部材Ｅが枝や樹木である場合に、切り離される側の被切断部材Ｅが、副刃２側へ倒れたり垂れ下がるようなことになっても、副刃２によって、樹皮が切断されているので、残すべき側の被切断部材Ｅの樹皮を引き剥がすような樹皮の剥離を防止できる。樹皮剥離防止用の切込みを入れる段取り作業を、本切断と略同時に行うことができ、作業効率を向上できる。本切断の切込部と樹皮剥離防止用の切込みの位置関係が適切な状態に保持され、樹皮の剥離を確実に防止できる。
【００２９】
また、主刃１の歯並びＦ１及び副刃２の歯並びＦ２を側面視で円弧凹状に形成して、主刃１と副刃２の間で左右側方に開口する笹の葉状の開口部６を形成したので、主刃１及び副刃２が枝等の外周に沿うように安定して接触しスムーズに切断できる。様々な大きさの被切断部材Ｅを、挟持状に確実に切断できる。
【００３０】
また、副刃２の先端20を、主刃１の先端10より長く突設させて受け顎型としたので、主刃１や副刃２に、使用者が手を触れることなく、安全かつ容易に主刃１と副刃２を離間させて開口でき迅速に作業できる。副刃２をガイド部材とし、被切断部材Ｅを主刃１と副刃２の間にスムーズに配設できる。
【００３１】
また、主刃１と、副刃２と、を左右側方に位置をずらせて配設し、側面視で主刃１と副刃２が先端側で重なり合うように配設したので、主刃１による切込部と副刃２による切込部を側面視で重なり合うようにでき、確実に被切断部材Ｅを切断できる。また、被切断部材Ｅが小径であっても確実に切断できる。主刃１の鋸歯13と副刃２の鋸歯23の接触による磨耗や欠けを防止し、耐久性を向上できる。
【００３２】
また、副刃２は、主刃１の基端11近傍に取着された板状の取付片３に枢着されているので、副刃２を容易かつ安価に主刃１に設けることができる。また、従来の鋸に、取付片３を固着することで、副刃２を有する本発明の鋸を容易に得ることができる。言い換えると、取付片３を主刃１から取り外すことで容易に副刃２を離脱でき、主刃１のみの鋸として使用できる。
【００３３】
また、主刃１が固着されると共に副刃２が枢着される樹脂製の取付部材７を設けたので、部品点数を少なくできると共に軽量化できる。主刃１に対して副刃２の位置をより正確に配設できる。
【符号の説明】
【００３４】
１  主刃
２  副刃
３  取付片
５  バネ
６  開口部
７  取付部材  
10  （主刃の）先端
11  （主刃の）基端
20  （副刃の）先端
Ｆ１  （主刃の）歯並び
Ｆ２  （副刃の）歯並び
【図１】
2011087506.tif 000003
【図２】
2011087506.tif 000004
【図３】
2011087506.tif 000005
【図４】
2011087506.tif 000006
【図５】
2011087506.tif 000007
【図６】
2011087506.tif 000008
【図７】
2011087506.tif 000009